(57)【要約】【課題】使用者の身体に負担をかけることなく、その身体に対する運動負荷を高める。【解決手段】トレーニング器具のステップ板１４に取り付けて使用されるものであり、上下部プレート３１、３２が軸３５を介して連結され、この上部プレート３１の上面が傾斜したステップ面部３３となる。下部プレート３２の両側壁に複数の透孔４４が設けられ、上部プレートの両側壁にピン孔４０が設けられる。上部プレート３１を回動させ、ピン孔４０を一の透孔４４に一致させた状態でピンを差し込むと、上部プレート３１のステップ面部３３が傾斜面となる。使用者がステップ面部３３に乗ることにより、通常使わない筋肉を使用して直立姿勢を保とうとする。そのため、多くの筋肉を使っている下半身にステップ板１４の振動を与えることによって、身体に負担をかけることなく、より高い運動負荷を与えることができる。【選択図】図１
2008264249.tif 000002
【特許請求の範囲】
【請求項１】
使用者が両足をついて乗るステップ板を振動させて身体の運動に使用するトレーニング器具の前記ステップ板との接合面を底部に形成し、上部に両足をついて乗る傾斜面を形成したトレーニング板。
【請求項２】
前記傾斜面の傾斜角度を調節する角度調節手段を備えた請求項１に記載のトレーニング板。
【請求項３】
前記傾斜面に替えて使用者の臀部に沿う凹面を形成した請求項１に記載のトレーニング板。
【請求項４】
使用者が両足をついて乗るステップ板を振動させて身体の運動に使用するトレーニング器具において、前記ステップ板の上部に、両足をついて乗る傾斜面を形成したことを特徴とするトレーニング器具。
【発明の詳細な説明】
【技術分野】
【０００１】
この発明は、振動によって使用者の身体に運動負荷を与えるトレーニング器具の、使用者の乗るステップ板上に設けるトレーニング板及びそのトレーニング板を備えたトレーニング器具に関するものである。
【背景技術】
【０００２】
一般に、健康を維持・増進する目的、あるいは身体のトレーニングの目的として、振動を利用し、その振動によって使用者に運動負荷を与えるようにしたトレーニング器具がある。この振動を利用した運動器具としては、従来から、例えば、特許文献１に記載されたものが知られている。このものは、使用者が乗るステップ板とそのステップ板を振動させるバイブレータをベース台に備え、そのベース台に支柱を設けて、その支柱に使用者が握るハンドルバーを取り付けてある（特許文献１）。
【特許文献１】特開２００１−３４０４１４号公報
【０００３】
この運動装置のステップ板上に使用者が乗り、バイブレータから伝わるステップ板の振動により、その振動に合わせて、使用者が自然と身体のバランスを取ろうとして起こる筋肉の伸縮作用によって運動負荷を与えることで新陳代謝を促し、ダイエット効果の向上を図るようにしている。
【０００４】
また、ステップ板の上に乗るときの姿勢、例えば、爪先立ちをしながら膝を軽く曲げたり、座ったりと様々な姿勢に変える事によって使用者の気になる部位に集中して運動負荷を与えて、その部位を集中して引き締めるいわゆる部分痩せを行うことも可能である。
【発明の開示】
【発明が解決しようとする課題】
【０００５】
ところで、使用者によっては、下半身、特に太腿やふくらはぎに作用させる運動負荷を高めて、効果的にその部位の筋力を向上させたいという要求がある。この要求を満たすために、ステップ板を振動させるバイブレータの振動幅や振動数を増加させることが考えられる。しかし、振動幅や振動数を増加させることは、バイブレータに過大な負荷がかかるとともに性能上、構造上の点から限界がある。また、使用者の膝や足首に対して負担が大きくなるなどの問題もあって、使用者に高いレベルの運動負荷を与えることが難しい。
【０００６】
また、腰周りの筋力強化を図るために使用者がステップ板上に座る際、ステップ板の振動の中心位置に体幹の中心を合せて座ることが難しく、ステップ板の振動により身体がぶれて、腰周りを効果的に鍛えにくい。さらに、ステップ板に直接座ることとなるので、腰に負荷がかかり、腰を痛めるおそれがあるため、この場合も使用者の腰周りに高い運動負荷を与えることが難しい。
【０００７】
そこで、使用者の身体に負担をかけることなく、その身体に対する運動負荷を高めることを課題とする。
【課題を解決するための手段】
【０００８】
上記の課題を解決するために、このトレーニング器具に使用するトレーニング板に係る発明は使用者が両足をついて乗るステップ板を振動させて身体の運動に使用するトレーニング器具の前記ステップ板との接合面を底部に形成し、上部に両足をついて乗る傾斜面を形成した構成を採用したのである。
【０００９】
この構成により、傾斜面となっている上部に両足をついて乗った使用者は、直立姿勢に体を保とうとするため、水平であるステップ板上で直立姿勢を保つよりも、通常使わない筋肉を使用して直立姿勢を保とうとする。そのため、多くの筋肉を使っている下半身にステップ板の振動を与えることによって、身体に負担をかけることなく、より高い運動負荷を与えることができる。
【００１０】
また、前記傾斜面の傾斜角度を調節する角度調節手段を備えた構成を採用すると、この角度調節手段により上部の傾斜面の傾斜角度が調節可能となり、この傾斜面に乗った使用者が直立姿勢を保つために使う筋肉に対する負荷を調節することができる。
【００１１】
さらに、前記傾斜面に替えて使用者の臀部に沿う凹面を形成した構成を採用することで、この凹面に沿って使用者が臀部を合せて座れば、ステップ板の振動中心と体幹の中心と一致させることができる。このため、ステップ板の振動による身体のぶれを抑え、ステップ板の振動による運動負荷を腰周りの筋肉に効果的に与えて、腰周りの筋肉、例えば、腹筋や背筋の筋力を向上させることができる。このとき、ステップ板からの振動は直接腰に受けないため、腰にかかる負荷を軽減することができる。
【００１２】
また、上記の課題を解決するために、この発明では、トレーニング器具のステップ板の上部に、両足をついて乗る傾斜面を形成した構成を採用することができる。
【発明の効果】
【００１３】
以上のように、この発明は、傾斜するステップ面部上の使用者が下半身の筋肉を使って直立姿勢に身体を保ち、ステップ板の振動によって、その下半身により高い運動負荷を与えるようにしたので、身体に負担をかけることなく使用者の足腰の筋力を効果的に鍛えることができる。
【発明を実施するための最良の形態】
【００１４】
以下、この発明の実施形態を図１から図４に示す。この実施形態のトレーニング板１７は、図１に示すように、矩形の上部プレート３１を矩形の下部プレート３２に軸３５を介して回動可能に取り付けたものである。
【００１５】
すなわち、上部プレート３１は、図２に示すように、使用者が両足をついて乗る矩形板状のステップ面部３３の周縁に側壁を設けたものである。また、下部プレート３２は、矩形の底板部３４の周縁に側壁を設けたものである。このような上部プレート３１は、そのステップ面部３３を上向きにして下部プレート３２に嵌め合わされ、その一端部を軸３５を介して連結したもので、その軸３５を回転軸にして上部プレート３１が下部プレートに対して回動可能となる。
【００１６】
前記下部プレートの底板部３４の底面は、後述するトレーニング器具のステップ板１４の上面に接触する接合面とし、この接合面はステップ板１４の表面形状に適合する形状となっており、前記トレーニング板１７がステップ板１４上にがたつきのない状態で載せられる（図４参照）。
【００１７】
この互いに嵌め合わされた上下部のプレート３１、３２には角度調節手段が設けられる。この角度調節手段により上部プレート３１のステップ面部３３が、軸３５が取り付けられた一辺に向かって下向きの傾斜面となる。
【００１８】
前記角度調節手段は、下部プレート３２の両側壁に設けられた複数の透孔４４と、上部プレート３１の両側壁に設けたピン孔４０と、そのピン孔４０に差し込むピン（図示省略）とから構成される。この複数の透孔４４は、軸３５を中心とする円弧上に所定間隔をおいて設けられ、上部プレート３１のピン孔４０が、複数の透孔４４のいずれかに一つに一致する。
【００１９】
上部プレート３１を回動させ、ピン孔４０を一の透孔４４に一致させた状態でピンを差し込むことにより、上部プレート３１のステップ面部３３の傾斜角度を調節することができる。
【００２０】
下部プレート３２の側壁には面ファスナ２６が貼り付けられ、その下端部が底板部３４から垂れた状態となる(図１参照)。この面ファスナ２６が図３に示すトレーニング器具のステップ板１４に貼り付けた面ファスナ２５と貼り合わされる。これらの面ファスナ２５、２６がトレーニング板１７をステップ板１４上に着脱可能に設ける係止手段となる。なお、前記ステップ板１４の上部が、弾性を有する摩擦係数が大きい材質、例えば合成ゴムなどで形成される場合、トレーニング板１７の接合面との摩擦が大きくなるため、振動による位置ずれが生じにくい。この場合では、前記係止手段としての面ファスナ２６を設けなくてもよい。
【００２１】
この形態は前記のように構成され、このトレーニング板はトレーニング器具のステップ板に取り付けて使用する。前記トレーニング器具は、図３に示すように、ステップ板１４と、そのステップ板１４を振動させるバイブレータとを備えたベース台１１に支柱１３が設けられ、その支柱１３の上部に、バイブレータの振動を制御する表示パネル１５とハンドルバー１６とが設けられたものである。
【００２２】
前記ベース台１１は、プラスチック製の箱体からなり、その上面の大部分を占める部分に矩形の開口部１９が形成され、その開口部１９にステップ板１４を嵌め合わせ可能となっている。その内部にステップ板１４を振動させるバイブレータ（図示省略）を備え、ベース台１１下面の各コーナー部に高さ調節ねじ１８が設けられ、これらを回転させてベース台１１の上面を水平に保っている。
【００２３】
前記バイブレータは、図４に示すように、使用者が支柱１３と対向するようにステップ板１４に乗った状態での前後方向（以下、前後方向という。）に設けた軸（図示省略）を中心にステップ板１４を揺動させることで振動させるものである（図４中の矢印参照）。なお、このバイブレータは、ステップ板１４を単に上下方向に振動させるものであってもよく、前記の揺動による振動と、上下方向の振動とを併用させるものであってもよい。その構造は、特に限定しないが公知のものを使用することができる。
【００２４】
ベース台１１は、図３に示すように、断面角型をなす筒状の支柱１３を備え、この支柱１３がベース台１１の一側面に起立した状態で固定される。また、この支柱１３は、その上端部に操作パネル１５とハンドルバー１６が設けられており、その内部に操作パネル１５とバイブレータとを電気的に接続する配線が通っている。
【００２５】
この操作パネル１５は、例えば、これを操作することによりバイブレータの振動幅、単位時間当たりの振動数や振動継続時間を変更可能となっている。また、そのバイブレータによるステップ板１４の振動数などの振動条件を表示する。さらに、所定のプログラムにより、ステップ板１４の振動幅、振動数、振動継続時間などの振動条件を経時的に変化させることが可能となっている。
【００２６】
また、支柱１３のハンドルバー１６は、棒体を折り曲げて形成されたものであり、その棒体の所定の長さを占める中央部２１の両端部を同方向直角に折り曲げ、その折り曲げ部２２をさらに内向きに直角に折り曲げて形成したハンドル部２３を有している。
【００２７】
このハンドルバー１６の中央部２１が支柱１３の上端部の側面に、その中央部２１を回転の中心として回転可能に設けられている。これにより、中央部２１を回転させれば、ハンドル部２３の位置を調節することができる。
【００２８】
前記折り曲げ部２２は、例えば、その上面に使用者の心拍数を感知するセンサ２４が設けられており、その心拍数を操作パネル１５に表示できるようになっている。これにより、使用者が操作パネル１５に表示される心拍数を基にして、振動条件を変更して適切な運動強度を維持させることができる。また、前記ハンドル部２３の外周面に使用者がハンドル部２３を持ち易くするため合成ゴムや軟質ウレタンなどの滑り止めが設けられている。
【００２９】
ベース台１１の開口部１９に嵌り合うステップ板１４は、その表面に格子状の溝が形成されており、これらの溝が滑り止めとなっている。このステップ板１４の各側面部に面ファスナ２５が貼り付けられる。このステップ板１４の材質としては、ステンレス、アルミニウム合金などの金属、プラスチック、合成ゴムなどを採用することができる。なお、その材質に、弾性を有する摩擦係数の大きい素材、例えば、合成ゴムを採用すれば、トレーニング板１７の接合面との摩擦が大きくなるため、振動によるトレーニング板１７の位置ずれ（横滑り）が生じにくい。この場合では、前記係止手段としての面ファスナ２５を設けなくてもよい。
【００３０】
このように構成されたトレーニング器具に、図１に示すトレーニング板１７を軸３５の取り付け側を前方に向けてステップ板１４上に載せる。その後、係止手段である面ファスナ２５、２６によりトレーニング板１７を固定し、使用者が支柱１３に対向するようにステップ面部３３上に両足をついて乗る。
【００３１】
次に、図４に示すように、使用者がステップ面部３３に乗った状態で、操作パネル１５を操作してステップ板１４をバイブレータにより振動させる。このとき、トレーニング板１７のステップ面部３３は、使用者の爪先に向かって下向きに傾斜しているため、その使用者は、通常使用しない筋肉を使って直立姿勢に体を保とうとする。そのため、多くの筋肉を使っている下半身にステップ板１４の振動を与える。これにより、振動幅や振動数を増大させて身体に負担をかけることなく、より高い運動負荷を与えることができる。
【００３２】
このとき、上述した角度調節手段によりステップ面部３３の傾斜角度を調節すると、使用者が直立姿勢を保つために使う筋肉に対する負荷を調節することができる。
【実施例１】
【００３３】
次に、この発明の実施例１を図面に基づいて説明する。この実施例１のトレーニング板は、図５（ａ）に示すように、係止手段としての面ファスナ２５、２６の貼り付け位置を変更したものであり、その他の構成は図１と図２に示したものと同様なので、同一の構成については、同一の符号を付して詳しい説明を省略することにする。
【００３４】
すなわち、帯状に設けた面ファスナ２５をステップ板１４の上面の２箇所に貼り付け、帯状に設けた面ファスナ２６をレーニング板１７の底板部３４に形成した溝２９の底面に貼り付けて、これらを貼り合わせるようにしたのである。これにより、ステップ板１４の振動がトレーニング板１７に確実に伝わるとともに、トレーニング板１７のステップ板１４上でのがたつきを防止できる。
【実施例２】
【００３５】
この発明の実施例２を図面に基づいて説明する。この実施例２のトレーニング板は、図５（ｂ）に示すように、その係止手段として、ステップ板１４の面ファスナ２５をステップ板１４の上面の２箇所に設けた係止穴を有するアタッチメント２７に替え、トレーニング板１７の面ファスナ２６を底板部３４の４箇所に設けた係止ピン２８に替えたものを採用することができる。その他の構成は、上述の実施形態と同様である。
【００３６】
この実施例２においても前記実施例１と同様、トレーニング板１７の底板部３４には溝２９が形成され、その溝２９の底面に下方に突き出る前記係止ピン２８が設けられる。これにより、トレーニング板１７の底板部３４の下面が、ステップ板１４の上面と接する状態で、トレーニング板１７をスライドさせて係止ピン２８を係止穴に係合してステップ板１４に着脱可能に取り付けることが可能となる。
【実施例３】
【００３７】
この発明の実施例３を図面に基づいて説明する。この実施例３のトレーニング板は、図６（ａ）に示すように、その角度調節手段として、図２に示した一の透孔４４に一致させたピン孔４０にピンを差し込むようにしたことに替えて、トレーニング板１７を角度調節板３６を介してステップ板１４上に取り付けるようにしたことを採用したものである。その他の構成は、上述の実施形態と同様である。
【００３８】
すなわち、トレーニング板１７と同じ大きさの上部を傾斜面とした角度調節板３６を、前記トレーニング板１７と別体に設ける。この角度調節板３６をステップ板１４上に載せ、さらにトレーニング板１７を、そのステップ面部３３の傾斜方向と角度調節板３６の傾斜方向を合わせて載せるようにしたのである。このようにすると、トレーニング板１７単独でステップ板１４上に載せた場合と、この角度調節板３６を介して載せた場合とでは、ステップ面部３３の傾斜角度を異ならせることができる。このため、角度調節板３６の取り付けにより、ステップ面部３３の傾斜角度を変更（調節）することが可能となる。
【実施例４】
【００３９】
この発明の実施例４を図面に基づいて説明する。この実施例４のトレーニング板は、図６（ｂ）に示すように、その角度調節手段として、図２に示した一の透孔４４に一致させたピン孔４０にピンを差し込むようにしたことに替えて、上下部のプレート３１、３２内に角度調節具１２を設けることを採用したのである。
【００４０】
この実施例４において、前記角度調節具１２は、下部プレート３２に回転可能に設けられたねじ棒３７に、スライダ３９、３９を介して２本のアーム３８、３８の一端部を回動可能に設け、その両アーム３８、３８の他端部をステップ面部３３の裏面に固定した受け具４２に回動可能に設けたものである。
【００４１】
前記ねじ棒３７は、前記軸３５と直交し、かつ底板部３４と平行となる状態で、その一端部が下部プレート３２に台座４３を介して回転可能に取り付けられ、他端部が下部プレート３２の側壁を貫通するつまみ４１に固定されている。
【００４２】
このつまみ４１を回してねじ棒３７を回転させると、スライダ３９が互いに接近、または離間するよう移動し、２本のアーム３８、３８を介して上部プレート３１が昇降する。この昇降により、そのステップ面部３３の下部プレート３２に対する角度（ステップ面部３３の傾斜角度）が無段階に調節可能となる。
【実施例５】
【００４３】
この発明の実施例５を図面に基づいて説明する。この実施例５のトレーニング板は、図７（ａ）〜（ｃ）に示すように、２個でステップ板１４の上面を覆う大きさの片足用トレーニング板１７ａを組み合わせたものを採用することができる。その他の構成は、上述の実施形態と同様である。
【００４４】
この実施例５の片足用トレーニング板１７ａをステップ板１４上に配置する。これらの片足用トレーニング板１７ａに使用者が片足ずつ乗せて直立姿勢を保つ。このとき、太腿の内側や外側、あるいは、ふくらはぎなどの片足ずつそれぞれ異なる部位の通常使わない筋肉を使うので、ステップ板１４の振動によりこれらの部位を効果的に鍛えることが可能となる。
【実施例６】
【００４５】
この発明の実施例６を図面に基づいて説明する。この実施例６のトレーニング板は、図８（ａ）に示すように、断面楕円形の板状に形成されたものであり、前述した実施形態のトレーニング板１７の傾斜面となるステップ面部３３に凹面３０を形成したものである。その素材として、低反発性を有する軟質ポリウレタンや、弾性を有する加硫ゴム、シリコーンゴムなどを採用することができる。
【００４６】
前記ステップ面部３３は、両側から中央に向かって凹み、その凹面３０を経て中央部が盛り上がり、その凹面３０が使用者の臀部に沿う形状となっている。このトレーニング板１７の盛り上がり部分側の側面に面ファスナ２６が貼り付けられ、ステップ板１４の面ファスナ２５と貼り合わされることで、このトレーニング板１７をステップ板１４に対して着脱可能に取り付けることができる。
【００４７】
このトレーニング板１７をそのステップ面部３３が後方に向かって下向きに傾斜するようにステップ板１４に取り付け、使用者がステップ面部３３に座ると、図８（ｂ）に示すように、凹面３０に使用者の臀部が沿い、ステップ板１４の振動中心と体幹の中心とが一致する。
【００４８】
このため、ステップ板１４の振動による身体のぶれを抑え、ステップ板１４の振動を腰周りの筋肉に効果的に作用させて、腰周りの筋肉、例えば、腹筋や背筋の筋力を向上させることができる。また、ステップ板１４からの振動を直接腰に受けないため、腰にかかる負荷が軽減される。
【実施例７】
【００４９】
また、この発明の実施例７を図面に基づいて説明する。この実施例７は、図９に示すように、運動装置のステップ板１４上にトレーニング板１７を設ける代わりに、図３に示した運動装置のステップ板１４の上面を前方に向かって下向きに傾斜させたものである。
【００５０】
このようにすると、使用者が支柱１３に対向するようにステップ板１４上に乗り、ステップ板１４を振動させることにより、トレーニング板１７を使用することなく、下半身、特にふくらはぎにより高い運動負荷を与えることができる。
【図面の簡単な説明】
【００５１】
【図１】この発明に係る実施形態のトレーニング板を示す斜視図
【図２】同上のトレーニング板の側面図
【図３】同上のトレーニング板を用いた運動装置の斜視図
【図４】同上のトレーニング板の使用状態を示す要部拡大斜視図
【図５】（ａ）同上の実施例１を示す上面図、（ｂ）同上の実施例２を示す上面図
【図６】（ａ）同上の実施例３を示す概略図、（ｂ）同上の実施例４を示す断面図
【図７】（ａ）〜（ｃ）同上の実施例５を示す斜視図
【図８】（ａ）同上の実施例６を示す斜視図、（ｂ）同上の実施例６の使用状態を示す要部拡大斜視図
【図９】同上の実施例７を示す要部拡大斜視図
【符号の説明】
【００５２】
１１  ベース台
１２  角度調節具
１３  支柱
１４  ステップ板
１５  操作パネル
１６  ハンドルバー
１７  トレーニング板
１８  高さ調節ねじ
１９  開口部
２１  中央部
２２  折り曲げ部
２３  ハンドル部
２４  センサ
２５  面ファスナ
２６  面ファスナ
２７  アタッチメント
２８  係止ピン
２９  溝
３０  凹面
３１  上部プレート
３２  下部プレート
３３  ステップ面部
３４  底板部
３５  軸
３６  角度調節板
３７  ねじ棒
３８  アーム
３９  スライド片
４０  ピン孔
４１  つまみ
４２  受け具
４３  台座
４４  透孔
【図１】
2008264249.tif 000003
【図２】
2008264249.tif 000004
【図３】
2008264249.tif 000005
【図４】
2008264249.tif 000006
【図５】
2008264249.tif 000007
【図６】
2008264249.tif 000008
【図７】
2008264249.tif 000009
【図８】
2008264249.tif 000010
【図９】
2008264249.tif 000011